(57)【要約】      （修正有）【課題】結婚記念日の記録を継続的に残すことができる結婚記念日記録ブックの提供。【解決手段】厚紙から成る第１の表紙１００と、厚紙から成る第２の表紙２００と、該第１及び第２の表紙とを繋ぐ背表紙３００と、該第１の表紙１００及び第２の表紙２００間の背表紙３００に挟まれる複数頁から成る頁本体４００とから成る結婚記念日記録ブックであって、頁本体４００が、第１及び第２の両表紙からの両開き構造であって両開きの最初の頁を基点として各々の５０頁目が見開きになる頁数であり、各頁に各年毎の記念日名が印刷されており、第１の表紙１００の結婚時の宣言書等を収納する内ポケット部３０を設けたもの。この内ポケット部３０は透明なものが好ましいが、不透明なポケット又は開口されたポケットであっても良い。【選択図】図１
0003130552.tif 000002
【実用新案登録請求の範囲】
【請求項１】
第１の表紙と、第２の表紙と、該第１及び第２の表紙を繋ぐ背表紙と、該第１及び第２表紙間の背表紙に挟まれ、記念日名が印刷された複数頁から成る頁本体とから成り、
前記頁本体が、前記第１及び第２の表紙から両開きに構成され、且つ該両開きの基点の頁から記念日毎に捲った中央の両見開き頁に同一の記念日が印刷されており、
前記第１の表紙の裏に用紙を収納する内ポケットが設けられている結婚記念日記録ブック。
【請求項２】
前記頁本体の中央の見開き頁に印刷された記念日が金婚式である請求項１記載の結婚記念日記録ブック。
【請求項３】
前記頁本体の各頁に、各記念日名に対応する情報が印刷されている請求項１記載の結婚記念日記録ブック。
【考案の詳細な説明】
【技術分野】
【０００１】
本考案は、結婚式の当日から翌年以降の結婚記念日に夫婦各自が宣言した誓いの内容を記録として残すことができる結婚記念日記録ブックに関する。
【背景技術】
【０００２】
一般に結婚式は人生における最大のイベントであり、この結婚記念日には、結婚式からの経過年数によって名称が定められており、例えばイギリス式による結婚記念日の呼称としては、１周年が「紙婚式」、２周年が「藁婚式」又は「綿婚式」、３周年が「革婚式」又は「糖菓婚式」、４周年が「絹婚式」又は「皮婚式（皮革婚式）」、５周年が「木婚式」、６周年が「鉄婚式」又は「花婚式」、７周年が「銅婚式」、８周年が「青銅婚式」、９周年が「陶器婚式」、１０周年が「アルミ婚式」又は「錫婚式」、１１周年が「鋼鉄婚式」、１２周年が「亜麻婚式」、１５周年が「水晶婚式」、２０周年が「磁器婚式」又は「陶器婚式」、２５周年が「銀婚式」、３０周年が「真珠婚式」、３５周年が「珊瑚婚式」、４０周年が「ルビー婚式」、４５周年が「サファイア婚式」、５０周年が「金婚式」、５５周年が「エメラルド婚式」、６０周年が「ダイヤモンド婚式」、７５周年が「プラチナ婚式」と呼ばれている。これら名称は、銀婚式からダイヤモンド婚式までの５年毎に設定されている名称は広く用いられており、それ以外の名称には様々なバリエーションがあり、どの体系でも共通して最初のうちは廉価で柔らかく日常的な物から始まり、徐々に高価で硬い貴重品へと変わっていく傾向がある。
【０００３】
尚、結婚式の記念品を残すものとしては、例えば下記特許文献１に記載された如く、結婚に際しての新郎新婦の誓いの言葉と結婚式の年月日及び新郎新婦のサインしたものを真鍮等の金属板にエッチングしたエッチングプレートと結婚式当日の写真を収納する額とを見開きにしたものが提案されている。
【特許文献１】実開平５−２２５５６号公報
【考案の開示】
【考案が解決しようとする課題】
【０００４】
前述の特許文献に記載された技術は、結婚時の誓いの言葉を残すことができるものの、夫婦間の誓いの言葉は、共に過ごす期間や子供等の家族構成の変化並びに夫婦が年齢を重ねることによって変化することが考えられ、そのときどきに応じた夫婦間の関係を見直した誓いの言葉を互いに交したり残すことができないものであった。
【０００５】
尚、前述の結婚記念日に行った行事等を日記として残すことも考えられるが、結婚記念日は年に１回であり、何十年にもわたる長い結婚生活において継続して結婚記念日の行事等を記録として残すことは困難であった。
【０００６】
本考案の目的は、結婚後の結婚記念日において夫婦互いの誓いの言葉を記録として残すことができ、特に節目である５０周年において夫婦の誓いの言葉を残すことができる結婚記念日記録ブックを提供することである。
【課題を解決するための手段】
【０００７】
前記目的を達成するために本考案による結婚記念日記録ブックは、第１の表紙と、第２の表紙と、該第１及び第２の表紙を繋ぐ背表紙と、該第１及び第２表紙間の背表紙に挟まれ、記念日名が印刷された複数頁から成る頁本体とから成り、前記頁本体が、前記第１及び第２の両表紙から両開きに構成され、且つ該両開きの基点の頁から記念日毎に捲った中央の見開いた見開き頁に同一の記念日が印刷されており、前記第１の表紙の裏に用紙を収納する内ポケットが設けられていることを第１の特徴とし、この結婚記念日記録ブックにおいて、前記頁本体の中央の見開き頁に印刷された記念日が金婚式であることを第２の特徴とし、前記何れかの結婚記念日記録ブックにおいて、前記頁本体の各頁に、記念日名に対応する情報が印刷されていることを第３の特徴とする。
【考案の効果】
【０００８】
本考案による結婚記念日記録ブックは、複数頁から成る頁本体が左右開きの両端頁から順に記念日が印刷され、中央の見開き頁を同一の記念日、例えば金婚式（５０周年）とすることによって、結婚式以降の毎年の結婚記念日の誓いの言葉を記録として保存することができると共に、特に金婚式の５０周年目における達成感を夫婦に与えることができる。
【考案を実施するための最良の形態】
【０００９】
以下、本考案による結婚記念日記録ブックの一実施形態を図面を参照して詳細に説明する。図１は本実施形態による結婚記念日記録ブックの外観を示す図、図２は本結婚記念日記録ブックの新婦記入側からの開いた状態を示す図、図３は本結婚記念日記録ブックの頁構成を説明するための図、図４は本考案の他の実施形態による結婚記念日記録ブックを示す図である。
【００１０】
まず、本実施形態による結婚記念日記録ブック１０は、いわゆる表（おもて）表紙に相当する第１表紙部１００と、通常は裏表紙に相当する第２表紙部２００と、複数の頁からなる頁本体４００と、前記第１及び第２表紙部１００及び２００内に頁本体４００を収納する背表紙３００とから構成される。
【００１１】
本実施形態による結婚記念日記録ブック１０は、一方の表紙である第１の表紙部１００から頁を開いて頁を捲る方式と、他方の表紙である第２の表紙部２００から頁を開いて頁を捲る方式とを備えた両面開き形式により内部の頁を開くことができ、本実施形態においては、前記第１表紙部１００から捲る頁を新郎（夫）用、第２表紙部２００から捲る頁を新婦（妻）用としている。
【００１２】
前記第１表紙部１００の裏の頁には、図２に示す如く、結婚式における新郎新婦の誓いの言葉を記載した宣言用紙２０を収納するための透明な透過内ポケット部３０を有し、この透過内ポケット部３０は密封自在に構成されている。この宣言用紙２０は、結婚式における新郎新婦の誓いの言葉や新郎新婦のサインの記入欄や、人前結婚式なら立会人、キリスト教式なら神父、仲人等のサインを記入する欄が設けられている。
【００１３】
また前記第１表紙部１００から捲った頁本体４００の第１頁目は、図２及び図３（ａ）に夫用第１頁１０１として示す如く、その記念（結婚）内容を印刷した記念日名欄１１と、次に述べる誓いを守る旨を印刷した印刷欄１２と、具体的な誓いの内容を自筆で記入するための記入欄１３と、そのサイン欄１４とが設けられており、同様に第２表紙部２００から捲った頁本体４００の妻用の第１頁目も、その記念日名欄１１と、誓いを守る旨の印刷欄１２と、具体的な誓いの内容を自筆で記入するための記入欄１３と、記念日の由来等が印刷された印刷欄１５とが設けられている。
【００１４】
本実施形態による結婚記念日記録ブック１０の頁本体４００は、前述した様に開く方向によって新郎（夫）用と新婦（妻）用に分けられ、各第１頁目には図２に示した「結婚式」時の誓いの言葉の記入欄１３及びサイン記入欄１４が印刷されており、第２頁目以降の頁は、２年目以降の結婚記念日、即ち、２年目の「綿婚式」から始まり、各年毎に例えば「革婚式」〜「アルミ婚式」〜「水晶婚式」〜「磁器婚式」〜「銀婚式」〜「真珠婚式」〜「珊瑚婚式」〜「ルビー婚式」〜「サファイア婚式」〜「金婚式」の如く、５０周年までの結婚記念日に対応した頁が印刷され、夫及び妻の５０周年の金婚式の５０頁目においては、夫婦の金婚式の頁が１つの見開き頁となるように構成されている。
【００１５】
これを具体的に説明すると、１周年である「紙婚式」の両頁は、図３（ａ）に示す如く、「１周年：紙婚式」との記念日名欄１１／誓いを守る旨の印刷欄１２／誓いの内容を自筆で記入するための記入欄１３／記念日名の由来等の印刷欄１５とを印刷した夫用第１頁１０１と、同様に記念日名欄１１／誓いの言葉印刷欄１２／自筆の記入欄１３／印刷欄１５とを印刷した妻用第１頁２０１とから成り、該頁１０１及び２０１の裏頁となる２年目の「綿婚式」の頁は、図３（ｂ）に示す如く、「２周年：綿婚式」との記念日名欄１１／誓いを守る旨の印刷欄１２／誓いの内容を自筆で記入するための記入欄１３／印刷欄１５とを印刷した夫用第２頁１０２と、同様に記念日名欄１１／誓いの言葉印刷欄１２／自筆の記入欄１３／印刷欄１５とを印刷した妻用第２頁２０２とから成り、２５年目の「銀婚式」の頁は、図３（ｃ）に示す如く、「２５周年：銀婚式」との記念日名欄１１／誓いを守る旨の印刷欄１２／誓いの内容を自筆で記入するための記入欄１３／印刷欄１５とを印刷した夫用第２５頁１２５と、同様に記念日名欄１１／誓いの言葉印刷欄１２／自筆の記入欄１３／印刷欄１５とを印刷した妻用第２２５頁２２５とから成り、夫及び妻用の頁を両開きから順に捲るに従って中央の金婚式に向かう様に構成されている。尚、各年の頁の下段に設けられた印刷欄１５は、例えば、その記念日の由来や、キリスト教式結婚の場合は神父の言葉や、神前結婚なら神教的な言葉を印刷するものであって、この欄に印刷する内容は、結婚式の形態や新郎新婦の希望により任意のものを選択することができる。
【００１６】
更に結婚記念日記録ブック１０の頁本体４００は、５０周年目の「金婚式」の頁が、図３（ｄ）に示す如く、夫及び妻が５０周年目の「金婚式」の頁１５０及び２５０を開いた状態において本が見開きになるように頁数が設定され、これら頁らは、「５０周年：金婚式」との記念日名欄１６と、金婚式を記念して夫婦各自が記入するための欄１７が印刷されている。即ち１００枚の頁から成る頁本体４００の両端の第１頁目を紙婚式とすることにより、中央の第５０頁目の夫婦の金婚式の頁が１つの両開きの頁とすることができる。
【００１７】
尚、本実施形態においては、１００頁の両最初の頁を紙婚式とすることにより、中央の５０頁目が金婚式となるように構成したが、本考案はこれに限られるものではなく、例えば図２に示した右側の頁（夫用第１頁１０１）に結婚式の記念品（写真／案内状／席順表）を収納又は貼付られるようにし、この裏頁から紙婚式を開始し、例えば大きな節目である銀婚式の頁を３頁費やすこと／逆に途中の記念日を省略すること／２頁にて複数の記念日を記載すること／両開きにより年度毎の記念日を費やし、５０年目においては夫婦にて両開きとなるようにすること等の頁配分を工夫することによって、頁本体４００を左右から順に開いた際の中央が夫婦共に金婚式の見開き頁となるように構成しても良い。
【００１８】
また前記実施形態においては第１表紙部１００の内面に袋状の内ポケット部３０を設ける例を説明したが、本考案はこれに限られるものではなく、例えば、妻用の第２表紙２００の内面に結婚式／各年の記念写真等を収納する内ポケットを設けることや、図４に示す如く、第１表紙部１００の内面に左右及び下方を接着した接着部４０ａ（斜線）及び裏面に接着剤（×印）を設けて上方が開放された開放部４０ｂから成る透明内ポケット部４０を設け、該透明内ポケット部４０に宣誓用紙２０を挿入した後、開放部４０ａの接着剤によって密閉する様に構成しても良い。また、この透明内ポケットの形状乃至構造は本明細書のものに限られるものではなく、宣誓用紙２０を透過して見ることができ且つ密閉可能なものや、紙の中央部を宣言用紙のサイズより小さく且つ宣言用紙の主要な記述が見られるサイズにくりぬき、この中央をくりぬいた用紙の左右及び下の３辺を第１表紙部に接着し、上部の１辺から宣言用紙を挿入可能にしたものであっても良い。この場合、前記上部の１辺は宣言用紙が挿入された後に上辺を接着するための接着剤を貼付しておいても良く、更に半透明又は透明な用紙をセットとして前記くりぬき部の内部が前記半透明用紙又は透明を通して透過されるようにしても良い。
【００１９】
このように構成された結婚記念日記録ブック１０は、結婚式の当日に新郎新婦と立会人等のサインを行った宣言用紙２０を透過内ポケット３０に収納し、次の結婚記念日である紙婚式当日等において、宣言用紙２０に書かれた結婚式時に誓った内容を見直し、次いで夫婦で互いの紙婚式の頁に次の１年の誓いの言葉を記入し、これ毎年繰り返すことによって、夫婦史とも言うべき長年にわたる結婚生活の歴史を記録として残すことができる。更に過ぎた日の結婚記念日毎の誓いの言葉を読み返すことによって、忘れ去っていた過去の結婚生活を思い出すきっかけとすることもできる。
【００２０】
特に本実施形態による結婚記念日記録ブック１０は、複数頁から成る頁本体４００が左右開きの両端頁からみて中央の見開き頁が金婚式に対応する５０周年とすることによって、金婚式の５０周年目において５０年達成の成果感を夫婦に与えることができる。更に表紙の裏面に結婚式において新郎新婦が記載した宣言用紙２０等を収納することができる透過内ポケット部３０を設けたことによって、結婚式において使用したものと、結婚後の毎年の記念日における夫婦の誓いの言葉を記念として残すこともできる。
【図面の簡単な説明】
【００２１】
【図１】本考案の一実施形態による結婚記念日記録ブックの外観を示す図。
【図２】本考案の結婚記念日記録ブックの新郎記入側からの開いた状態を示す図。
【図３】本考案の結婚記念日記録ブックの頁構成を説明するための図。
【図４】本考案の他の実施形態による結婚記念日記録ブックを示す図。
【符号の説明】
【００２２】
１０：結婚記念日記録ブック、１１：記念日名欄、１２：誓いの言葉記載欄、１３：誓いの内容記載欄、１４：サイン欄、１５：任意欄、１６：記念日名欄、１７：記入欄、２０：宣言用紙、３０：透過内ポケット部、１００：第１表紙部、１０１：新郎第１頁、１０２：夫第２頁、１２５：夫第２５頁、１５０：夫第５０頁、２００：第２表紙部、２０１：新婦第１頁、２０２：妻第２頁、２２５：妻第２５頁、３００：背表紙、４００：頁本体。
【図１】
0003130552.tif 000003
【図２】
0003130552.tif 000004
【図３】
0003130552.tif 000005
【図４】
0003130552.tif 000006